(57)【要約】【課題】伝搬中等に生じた信号の非線形歪による影響を良好に抑制することができる通信装置を提供する。【解決手段】記憶手段１６には、信号に歪補償処理を施す歪補償回路１４に適用する係数が記憶されている。制御手段１７が、受信信号の強度に応じて送信側に送信電力の制御を要求し、送信側の送信電力に応じて記憶手段１６から読み出して適用する係数を歪補償回路１４に指示する。歪補償回路１４が、制御手段１７の指示に応じた係数を記憶手段１６から読み出し、読み出した係数を用いて受信信号に基づく信号に歪補償処理を施す。【選択図】      図１２
2016134874.tif 000002
【特許請求の範囲】
【請求項１】
信号に歪補償処理を施す歪補償回路に適用する係数が記憶された記憶手段と、
受信信号の強度に応じて送信側に送信電力の制御を要求し、前記送信側の前記送信電力に応じて前記記憶手段から読み出して適用する係数を前記歪補償回路に指示する制御手段と、
前記制御手段の指示に応じた前記係数を前記記憶手段から読み出し、読み出した前記係数を用いて前記受信信号に基づく信号に前記歪補償処理を施す歪補償回路とを備えた
ことを特徴とする通信装置。
【請求項２】
前記記憶手段には、前記送信電力と前記受信信号の強度とに応じた係数が記憶され、
前記制御手段は、前記送信電力と前記受信信号の強度とに応じて、前記記憶手段から読み出して適用する係数を前記歪補償回路に指示する
請求項１に記載の通信装置。
【請求項３】
前記記憶手段には、前記送信電力と当該通信装置の温度とに応じた係数が記憶され、
前記制御手段は、前記送信電力と当該通信装置の温度とに応じて、前記記憶手段から読み出して適用する係数を前記歪補償回路に指示する
請求項１に記載の通信装置。
【請求項４】
前記記憶手段には、ボルテラ級数展開された関数における係数が記憶され、
前記歪補償回路は、前記係数を用いて前記受信信号に基づく信号に歪補償処理を施すボルテラフィルタを含む
請求項１から請求項３のうちいずれかに記載の通信装置。
【請求項５】
請求項１から請求項４のうちいずれかに記載された通信装置を複数含み、
複数の前記通信装置の制御手段のそれぞれは、前記記憶手段から読み出して適用する係数を前記歪補償回路に指示した場合に、前記係数を示す情報を他の通信装置に通知し、他の通信装置から前記係数を示す情報を通知された場合に、前記係数を前記記憶手段から読み出して適用することを自通信装置の歪補償回路に指示する
ことを特徴とする通信システム。
【請求項６】
前記送信側の送信装置を含む
請求項５に記載の通信システム。
【請求項７】
受信信号の強度に応じて送信側に送信電力の制御を要求し、前記送信側の前記送信電力に応じて、記憶手段から読み出して信号に歪補償処理を施す歪補償回路に適用する係数を前記歪補償回路に指示する制御ステップと、
前記制御ステップにおける指示に応じた前記係数を前記記憶手段から読み出し、読み出した前記係数を用いて前記歪補償回路に前記歪補償処理を前記信号に対して施させる歪補償ステップとを含む
ことを特徴とする歪補償方法。
【発明の詳細な説明】
【技術分野】
【０００１】
本発明は、信号を受信する通信装置、通信システム、および歪補償方法に関する。
【背景技術】
【０００２】
無線通信システムにおいてデータを高速で送受信するために、ＱＡＭ（Ｑｕａｄｒａｔｕｒｅ  Ａｍｐｌｉｔｕｄｅ  Ｍｏｄｕｌａｔｉｏｎ）等のデジタル変調方式を採用し、より多値化することが求められる。そして、より多値化されたデジタル変調方式では、より高いＳＮ比（Ｓｉｇｎａｌ−Ｎｏｉｓｅ  ｒａｔｉｏ：信号雑音比）が求められる。また、ＳＮ比をより高めるためには、非線形歪に起因する固定劣化量を低減することが必要である。
【０００３】
無線通信システムにおいて、送信電力のダイナミックレンジを減少させたり電力効率を低下させたりすることなく信号の非線形歪を抑制するために、非線形の歪補償回路が好適に使用される。
【０００４】
また、マイクロ波帯の電波で通信を行う無線通信システムでは、フェージングによって受信信号レベル（ＲＳＬ：Ｒｅｃｅｉｖｅｄ  Ｓｉｇｎａｌ  Ｌｅｖｅｌ）が変動した場合に、当該変動に追従して送信電力を変動させる必要がある。そのように送信電力を変動させる技術をＡＴＰＣ（Ａｕｔｏｍａｔｉｃ  Ｔｒａｎｓｍｉｔ  Ｐｏｗｅｒ  Ｃｏｎｔｒｏｌ）という。ＡＴＰＣでは、送信電力が、例えば、１秒間に１００ｄＢ変化する。
【０００５】
そうすると、歪補償回路も、高精度かつ高速に動作しなければならない。
【０００６】
特許文献１には、予め設定されたテーブルから読み出した係数を用いて、信号に歪補償処理を施す送信器が記載されている。
【先行技術文献】
【特許文献】
【０００７】
【特許文献１】国際公開第２０１３／１７９３９９号
【発明の概要】
【発明が解決しようとする課題】
【０００８】
しかし、一般に、歪補償回路における歪補償処理の精度と速度とはトレードオフの関係であり、両性能を共に十分に高めることは困難である。
【０００９】
また、特許文献１に記載されている送信器は、信号が送信される前に歪補償処理を施すので、当該信号の伝搬中に生じたフェージング等に対応することができない。
【００１０】
そこで、本発明は、伝搬中等に生じた信号の非線形歪による影響を良好に抑制することができる通信装置、通信システム、および歪補償方法を提供することを目的とする。
【課題を解決するための手段】
【００１１】
本発明による通信装置は、信号に歪補償処理を施す歪補償回路に適用する係数が記憶された記憶手段と、受信信号の強度に応じて送信側に送信電力の制御を要求し、送信側の送信電力に応じて記憶手段から読み出して適用する係数を歪補償回路に指示する制御手段と、制御手段の指示に応じた係数を記憶手段から読み出し、読み出した係数を用いて受信信号に基づく信号に歪補償処理を施す歪補償回路とを備えたことを特徴とする。
【００１２】
本発明による通信システムは、いずれかの態様の通信装置を複数含み、複数の通信装置の制御手段のそれぞれは、記憶手段から読み出して適用する係数を歪補償回路に指示した場合に、係数を示す情報を他の通信装置に通知し、他の通信装置から係数を示す情報を通知された場合に、係数を記憶手段から読み出して適用することを自通信装置の歪補償回路に指示することを特徴とする。
【００１３】
本発明による歪補償方法は、受信信号の強度に応じて送信側に送信電力の制御を要求し、送信側の送信電力に応じて、記憶手段から読み出して信号に歪補償処理を施す歪補償回路に適用する係数を歪補償回路に指示する制御ステップと、制御ステップにおける指示に応じた係数を記憶手段から読み出し、読み出した係数を用いて歪補償回路に歪補償処理を信号に対して施させる歪補償ステップとを含むことを特徴とする。
【発明の効果】
【００１４】
本発明によれば、伝搬中等に生じた信号の非線形歪による影響を良好に抑制することができる。
【図面の簡単な説明】
【００１５】
【図１】本発明の第１の実施形態の通信装置の構成例を示すブロック図である。
【図２】本発明の第１の実施形態の通信装置における受信歪補償回路および制御回路の動作を示すフローチャートである。
【図３】メモリに記憶されている係数の例を示す説明図である。
【図４】信号強度情報が示す送信電力値Ｐｏｕｔ＿Ｔｘの変化、および送信電力値Ｐｏｕｔ＿Ｔｘに応じてメモリから読み出される係数に応じたインデックスの変化の例を示す説明図である。
【図５】ステップＳ１０８の処理で、メモリから読み出して適用した係数を調整するための構成例を示すブロック図である。
【図６】加算器による加算結果の値の絶対値の変化を示す説明図である。
【図７】送信電力Ｐｏｕｔ＿Ｔｘおよび予め設定されている信号の強度Ｔ＿ＲＳＬに応じて係数を設定するための第１のテーブルの例を示す説明図である。
【図８】第１のテーブルに応じて係数を設定するための第２のテーブルを示す説明図である。
【図９】送信電力Ｐｏｕｔ＿Ｔｘおよび通信装置の温度に応じて係数を設定するための他の例の第１のテーブルを示す説明図である。
【図１０】本発明の第２の実施形態の受信システムの構成例を示すブロック図である。
【図１１】第２の実施形態における通信装置の構成例を示すブロック図である。
【図１２】本発明の第３の実施形態の通信装置の構成例を示すブロック図である。
【発明を実施するための形態】
【００１６】
実施形態１．
本発明の第１の実施形態の通信装置１００について、図面を参照して説明する。図１は、本発明の第１の実施形態の通信装置１００の構成例を示すブロック図である。図１に示すように、本発明の第１の実施形態の通信装置１００は、送信装置２００が送信した信号を受信する。そして、通信装置１００は、受信ゲイン可変アンプ１１０、Ａ−Ｄ（Ａｎａｌｏｇ  ｔｏ  Ｄｉｇｉｔａｌ）変換器１２０、受信波形整形フィルタ１３０、受信歪補償回路１４０、復調器１５０、メモリ１６０、および制御回路１７０を含む。
【００１７】
受信ゲイン可変アンプ１１０は、アンテナ（図示せず）によって受信されて入力された信号を、当該信号の受信強度に応じて増幅して、Ａ−Ｄ変換器１２０に入力する。Ａ−Ｄ変換器１２０は、受信ゲイン可変アンプ１１０が入力したアナログの信号をデジタル信号に変換して、受信波形整形フィルタ１３０に入力する。受信波形整形フィルタ１３０は、入力された信号を所定の波形に整形する。受信波形整形フィルタ１３０を通過して整形された信号は、受信歪補償回路１４０に入力される。メモリ１６０には、受信歪補償回路１４０が信号に施す歪補償処理に用いられる係数が予め記憶されている。受信歪補償回路１４０は、制御回路１７０の指示に応じた係数をメモリ１６０から読み出し、読み出した係数を用いて、入力された信号に歪補償処理を施す。そして、受信歪補償回路１４０は、歪補償処理を施した信号を復調器１５０に入力する。復調器１５０は、入力された信号を復調し、復調後の信号を通信装置１００の外部に出力する。また、復調器１５０は、復調後の信号を受信歪補償回路１４０、および制御回路１７０に入力する。制御回路１７０は、復調後の信号に含まれている、送信装置２００が出力した信号の強度を示す信号強度情報に基づいて、受信歪補償回路１４０に、メモリ１６０から読み出す係数を指示する。また、制御回路１７０は、アンテナによって受信された信号の強度を測定する。そして、制御回路１７０は、予め設定されている値と、信号の強度の測定結果の値とに基づいて、送信電力の制御を要求する送信電力制御情報をアンテナを介して送信装置２００に送信する。
【００１８】
送信装置２００の構成について説明する。図１に示すように、送信装置２００は、変調器２１０、送信波形整形フィルタ２２０、送信歪補償回路２３０、Ｄ−Ａ（Ｄｉｇｉｔａｌ  ｔｏ  Ａｎａｌｏｇ）変換器２４０、および送信ゲイン可変アンプ２５０を含む。
【００１９】
変調器２１０は、送信装置２００に入力された信号を通信装置１００の復調器１５０が復調可能な所定の変調方式で変調して、送信波形整形フィルタ２２０に入力する。送信波形整形フィルタ２２０は、入力された信号を所定の波形に整形する。送信波形整形フィルタ２２０を通過して整形された信号は、送信歪補償回路２３０に入力される。送信歪補償回路２３０は、予め設定された係数を用いて、入力された信号に歪補償処理を施す。そして、送信歪補償回路２３０は、歪補償処理を施した信号をＤ−Ａ変換器２４０に入力する。Ｄ−Ａ変換器２４０は、送信歪補償回路２３０が入力したデジタルの信号をアナログ信号に変換して、送信ゲイン可変アンプ２５０に入力する。送信ゲイン可変アンプ２５０は、通信装置１００の制御回路１７０による指示に応じた送信電力に、Ｄ−Ａ変換器２４０が入力した信号を増幅して、アンテナ（図示せず）に入力する。アンテナに入力された信号は送信される。
【００２０】
なお、送信装置２００は、例えば、受信機能を有し、通信装置１００の制御回路１７０によって生成されて送信された送信電力制御情報をアンテナが受信した場合に、当該送信電力制御情報を送信ゲイン可変アンプ２５０に入力する。そして、送信ゲイン可変アンプ２５０は、送信電力制御情報が示す要求に従って、信号の増幅率を制御する。
【００２１】
次に、本発明の第１の実施形態の通信装置１００の動作について説明する。図２は、本発明の第１の実施形態の通信装置１００における受信歪補償回路１４０および制御回路１７０の動作を示すフローチャートである。
【００２２】
図２に示すように、本発明の第１の実施形態の通信装置１００において、制御回路１７０は、まず、復調後の信号から、送信装置２００が出力した信号の強度を示す信号強度情報を読み出す（ステップＳ１０１）。本例では、信号強度情報は、送信電力値Ｐｏｕｔ＿Ｔｘを示しているとする。
【００２３】
制御回路１７０は、アンテナによって受信された信号の強度を測定する。そして、制御回路１７０は、測定した信号の強度ＲＳＬ（Ｒｅｃｅｉｖｅｄ  Ｓｉｇｎａｌ  Ｌｅｖｅｌ）と、予め設定されている信号の強度Ｔ＿ＲＳＬ（Ｔａｒｇｅｔ  ＲＳＬ）とを比較する（ステップＳ１０２）。
【００２４】
ＲＳＬ＝Ｔ＿ＲＳＬであった場合に（ステップＳ１０２のＹ）、ステップＳ１０５の処理に移行する。また、ＲＳＬ＝Ｔ＿ＲＳＬでなかった場合に（ステップＳ１０２のＮ）、制御回路１７０は、差異ΔＰを算出する（ステップＳ１０３）。
【００２５】
なお、
差異ΔＰ＝ＲＳＬ−Ｔ＿ＲＳＬ・・・（１）
である。例えば、ＲＳＬ＝−４０ｄＢｍ、Ｔ＿ＲＳＬ＝−５０ｄＢｍである場合に、（１）式に基づいて、ΔＰ＝＋１０ｄＢｍが算出される。
【００２６】
制御回路１７０は、ステップＳ１０３の処理で（１）式に基づいて算出したΔＰに応じて、送信電力の制御を要求する送信電力制御情報をアンテナを介して送信装置２００に送信する（ステップＳ１０４）。ΔＰ＝＋１０ｄＢｍが算出された場合に、制御回路１７０は、送信電力を１０ｄＢ減少することの要求を示す送信電力制御情報を生成して、アンテナを介して送信装置２００に送信する。送信装置２００の送信ゲイン可変アンプ２５０は、送信された送信電力制御情報が示す要求に応じて、送信電力を制御する。本例では、送信ゲイン可変アンプ２５０は、送信電力を従前の送信電力から１０ｄＢ減少させる。
【００２７】
また、制御回路１７０は、受信歪補償回路１４０に、ステップＳ１０１の処理で読み出した信号強度情報が示す送信電力値Ｐｏｕｔ＿Ｔｘに応じた係数をメモリ１６０から読み出すように指示する（ステップＳ１０５）。受信歪補償回路１４０は、制御回路１７０の指示に応じた係数が前回に読み出した係数と異なる場合に（ステップＳ１０６のＮ）、制御回路１７０の指示に応じた係数をメモリ１６０から読み出す（ステップＳ１０７）。そして、受信歪補償回路１４０は、ステップＳ１０７の処理でメモリ１６０から読み出した係数を適用する（ステップＳ１０８）。
【００２８】
また、受信歪補償回路１４０は、制御回路１７０の指示に応じた係数が前回のステップＳ１０６の処理で読み出した係数と同じである場合に（ステップＳ１０６のＹ）、以下の処理を行う。すなわち、受信歪補償回路１４０は、復調器１１０が入力した復調後の信号に基づいて、前回のステップＳ１０７，Ｓ１０８の処理でメモリ１６０から読み出して適用した係数を調整する（ステップＳ１０９）。つまり、受信歪補償回路１４０は、前回のステップＳ１０７，Ｓ１０８の処理でメモリ１６０から読み出して適用した係数をフィードバック制御で調整する。
【００２９】
図３は、メモリ１６０に記憶されている係数の例を示す説明図である。図３に示す例では、＋３０〜−５ｄＢｍの送信電力値Ｐｏｕｔ＿Ｔｘのそれぞれに、係数およびインデックスが設定されている。なお、図３に示す例では、１ｄＢｍステップで係数がそれぞれ設定されているが、より細かいステップで係数がそれぞれ設定されていてもよいし、より粗いステップで係数がそれぞれ設定されていてもよい。また、送信電力値Ｐｏｕｔ＿Ｔｘの範囲に応じて、係数が設定されるステップが互いに異なっていてもよい。具体的には、例えば、＋３０〜＋２０ｄＢｍおよび＋１０〜−５ｄＢｍの送信電力値Ｐｏｕｔ＿Ｔｘには２ｄＢｍステップで係数がそれぞれ設定され、＋２０〜＋１０ｄＢｍには０．５ｄＢｍステップで係数がそれぞれ設定されていてもよい。そして、受信歪補償回路１４０は、信号強度情報が示す送信電力値Ｐｏｕｔ＿Ｔｘに応じた係数がメモリ１６０に記憶されていない場合に、例えば、信号強度情報が示す送信電力値Ｐｏｕｔ＿Ｔｘに近い値の送信電力値Ｐｏｕｔ＿Ｔｘに応じた係数をメモリ１６０から読み出して適用する。なお、受信歪補償回路１４０は、信号強度情報が示す送信電力値Ｐｏｕｔ＿Ｔｘとの近さが同じ値が複数あった場合には、例えば、小さい方の送信電力値Ｐｏｕｔ＿Ｔｘに応じた係数をメモリ１６０から読み出して適用する。
【００３０】
図４は、信号強度情報が示す送信電力値Ｐｏｕｔ＿Ｔｘの変化、および送信電力値Ｐｏｕｔ＿Ｔｘに応じてメモリ１６０から読み出される係数に応じたインデックスの変化の例を示す説明図である。図４（ａ）には、信号強度情報が示す送信電力値Ｐｏｕｔ＿Ｔｘの変化が示されている。図４（ａ）に示す例では、信号強度情報が示す送信電力値Ｐｏｕｔ＿Ｔｘが減少している。図４（ｂ）には、信号強度情報が示す送信電力値Ｐｏｕｔ＿Ｔｘの変化に応じた、メモリ１６０から読み出される係数に応じたインデックスの変化が示されている。また、図３に例示したように、メモリ１６０には、送信電力値Ｐｏｕｔ＿Ｔｘがより大きい値に、より小さい値のインデックスが対応付けられて記憶されている。そうすると、図４（ａ）に示すように、信号強度情報が示す送信電力値Ｐｏｕｔ＿Ｔｘが減少すると、図４（ｂ）に示すように、メモリ１６０から読み出される係数に対応付けられているインデックスの値が増加する。そして、信号強度情報が示す送信電力値Ｐｏｕｔ＿Ｔｘの値の減少に応じたインデックスに対応付けられた係数が受信歪補償回路１４０によって読み出されて適用される。
【００３１】
図５は、ステップＳ１０８の処理で、メモリ１６０から読み出して適用した係数を調整するための構成例を示すブロック図である。図５に示す例では、受信歪補償回路１４０は、加算器１４１、最小二乗誤差算出器１４２、ボルテラフィルタ１４３、および変調器１４４を含む。
【００３２】
図５に例示したボルテラフィルタ１４３には、ボルテラ級数展開された関数において、１次のボルテラ核の係数と、３次のボルテラ核の係数と、５次のボルテラ核の係数とがそれぞれ設定されている。１次のボルテラ核の係数と、３次のボルテラ核の係数と、５次のボルテラ核の係数とは、ステップＳ１０６の処理でメモリ１６０から読み出された係数である。換言すれば、本例のメモリ１６０には、１次のボルテラ核の係数と、３次のボルテラ核の係数と、５次のボルテラ核の係数とが、インデックスおよび送信電力値Ｐｏｕｔ＿Ｔｘに対応付けられて記憶されている。
【００３３】
そして、１次のボルテラ核の係数にはボルテラフィルタ１４３に入力された信号が適用される。また、３次のボルテラ核の係数および５次のボルテラ核の係数には、ボルテラフィルタ１４３に入力された信号がｄ時間遅れて適用される。そして、ボルテラフィルタ１４３からは、入力された信号に各係数が適用された信号が出力され、復調器１５０および加算器１４１に入力される。
【００３４】
復調器１５０は、入力された信号を復調する。そして、復調器１５０は復調後の信号を、通信装置１００の外部に出力するとともに変調器１４４に入力する。変調器１４４は、復調器１５０による復調後の信号を、変調器２１０における変調方式と同様な変調方式で、つまり、復調器１５０による復調前の信号に、変調する。そして、変調器１４４は、変調後の信号を加算器１４１に負帰還させる。
【００３５】
加算器１４１は、ボルテラフィルタ１４３を通過した信号に、変調器１４４を介して負帰還された信号を加算して、加算結果を最小二乗誤差算出器１４２に入力する。最小二乗誤差算出器１４２は、加算結果の値の絶対値が小さくなるように、１次のボルテラ核の係数と、３次のボルテラ核の係数と、５次のボルテラ核の係数とを調整する。
【００３６】
図６は、加算器１４１による加算結果の値の絶対値の変化を示す説明図である。なお、図６において、本例による加算器１４１による加算結果である誤差の変化は実線で示されている。図６に実線で示されているように、新たな係数が設定されてから、ステップＳ１０８の処理で係数が調整されることによって、加算器１４１による加算結果の値の絶対値が減少することがわかる。また、図６には、送信電力値Ｐｏｕｔ＿Ｔｘに関わらず予め決められた係数が設定された場合における加算器１４１による加算結果の変化が破線で示されている。図６に示すように、本実施形態のように、送信電力値Ｐｏｕｔ＿Ｔｘに応じて係数が設定された場合には、送信電力値Ｐｏｕｔ＿Ｔｘに関わらず予め決められた係数が設定された場合よりも迅速に加算器１４１による加算結果の値の絶対値を０に近づけることができる。したがって、受信歪補償回路１０４による歪の補償を迅速かつ精度よく行うことができる。
【００３７】
本実施形態によれば、通信装置１００の制御回路１７０が、予め設定されている値と、信号の強度の測定結果の値とに基づいて、送信電力の制御を要求する送信電力制御情報を送信装置２００に送信する。したがって、送信装置２００と通信装置１００との間の伝搬中等に生じた信号の非線形歪による影響等に応じた送信電力制御情報が送信装置２００に送信される。そして、通信装置１００の受信歪補償回路１４０が、送信装置２００が送信電力制御情報に応じて出力した信号の強度に応じた係数を適用して歪補償処理を行う。したがって、通信装置１００の受信歪補償回路１４０が行う歪補償処理によって、送信装置２００と通信装置１００との間の伝搬中等に生じた信号の非線形歪による影響を良好に抑制することができる。
【００３８】
なお、通信装置１００および送信装置２００において送受信される信号の歪は、送信電力の他にも、受信利得（自動利得制御機能を有する構成では、ＲＳＬおよび予め設定されている信号の強度Ｔ＿ＲＳＬに応じて決定される）や、装置の温度による影響を受ける。図７は、送信電力Ｐｏｕｔ＿Ｔｘおよび予め設定されている信号の強度Ｔ＿ＲＳＬに応じて係数を設定するための第１のテーブルの例を示す説明図である。図８は、第１のテーブルに応じて係数を設定するための第２のテーブルを示す説明図である。なお、図７に示す第１のテーブルおよび図８に示す第２のテーブルはメモリ１６０に予め記憶されているとする。
【００３９】
図７に示す例では、送信電力Ｐｏｕｔ＿Ｔｘおよび予め設定されている信号の強度Ｔ＿ＲＳＬと、係数のインデックスとが対応付けられている。具体的には、Ｐｏｕｔ＿Ｔｘが＋３０ｄＢｍおよびＴ＿ＲＳＬが−２０ｄＢｍには、インデックス（１，１）が対応付けられている。
【００４０】
そして、図８に示す例では、インデックス（１，１）に、係数（ａ１，１、ｂ１，１、ｃ１，１、．．）が対応付けられている。
【００４１】
本例では、制御回路１７０は、例えば、ステップＳ１０１の処理で読み出した信号強度情報が示す送信電力値Ｐｏｕｔ＿Ｔｘ、および予め設定されている信号の強度Ｔ＿ＲＳＬに応じたインデックスをメモリ１６０に記憶されている第１のテーブルから読み出す。そして、制御回路１７０は、受信歪補償回路１４０に、メモリ１６０の第１のテーブルから読み出したインデックスに応じた係数をメモリ１６０に記憶されている第２のテーブルから読み出すように指示する。受信歪補償回路１４０は、指示に応じてメモリ１６０の第２のテーブルから読み出した係数を用いて歪補償処理を行う。
【００４２】
そのような構成によれば、送信電力値Ｐｏｕｔ＿Ｔｘのみに応じた係数を用いた場合に比べて、より高い精度で歪補償処理を行うことができる。
【００４３】
図９は、送信電力Ｐｏｕｔ＿Ｔｘおよび通信装置１００の温度に応じて係数を設定するための他の例の第１のテーブルを示す説明図である。図９に示す例では、送信電力Ｐｏｕｔ＿Ｔｘおよび通信装置１００の温度と、係数のインデックスとが対応付けられている。具体的には、Ｐｏｕｔ＿Ｔｘが＋３０ｄＢｍおよび通信装置１００の温度が−４０℃には、インデックス（１，１）が対応付けられている。
【００４４】
本例では、制御回路１７０は、例えば、ステップＳ１０１の処理で読み出した信号強度情報が示す送信電力値Ｐｏｕｔ＿Ｔｘ、および温度計（図示せず）が測定した通信装置１００の温度に応じたインデックスをメモリ１６０に記憶されている他の例の第１のテーブルから読み出す。そして、制御回路１７０は、受信歪補償回路１４０に、メモリ１６０の他の例の第１のテーブルから読み出したインデックスに応じた係数をメモリ１６０の第２のテーブルから読み出すように指示する。受信歪補償回路１４０は、指示に応じてメモリ１６０の第２のテーブルから読み出した係数を用いて歪補償処理を行う。
【００４５】
そのような構成によれば、送信電力値Ｐｏｕｔ＿Ｔｘのみに応じた係数を用いた場合に比べて、より高い精度で歪補償処理を行うことができる。
【００４６】
実施形態２．
次に、本発明の第２の実施形態の受信システム３００について説明する。図１０は、本発明の第２の実施形態の受信システム３００の構成例を示すブロック図である。図１０に示すように、本発明の第２の実施形態の受信システム３００は、送信装置２００から信号を受信する、通信装置１０２および通信装置１０３を含む。そして、受信システム３００は、通信装置１０２および通信装置１０３によるダイバーシティ受信方式で送信装置２００から信号を受信したり、冗長化されてホットスタンバイに対応するように構成されたりしている。
【００４７】
図１１は、本実施形態における通信装置１０２の構成例を示すブロック図である。なお、通信装置１０３の構成も、図１１に示す通信装置１０２の構成例と同様である。
【００４８】
図１１に示す通信装置１０２は、制御回路１７２が、通信装置１０３における制御回路と係数を示す情報を送受信する点で、図１０に示す通信装置１００における構成と異なる。その他の構成は、図１０に示す通信装置１００における構成と同様なため、図１と同じ符号を付して説明を省略する。
【００４９】
制御回路１７２は、受信歪補償回路１４０に、メモリ１６０から係数を読み出すように指示した場合に、当該係数を示す情報を通信装置１０３に通知する。また、制御回路１７２は、通信装置１０３から係数を示す情報が通知された場合に、当該情報が示す係数をメモリ１６０から読み出すように受信歪補償回路１４０に指示する。
【００５０】
本実施形態によれば、運用中の通信装置が待機中の通信装置に係数を通知する。そして、待機中の通信装置は、通知された係数を受信歪補償回路に適用する。したがって、運用する通信装置を待機中の通信装置に切り替えた場合に、当該待機中の通信装置の受信歪補償回路には既に係数が適用されている。よって、本実施形態によれば、第１の実施形態の効果に加えて、待機中の通信装置を迅速に起動させることができるという効果を奏することができる。
【００５１】
実施形態３．
次に、本発明の第３の実施形態の通信装置について、図面を参照して説明する。図１２は、本発明の第３の実施形態の通信装置１０の構成例を示すブロック図である。図１２に示すように、本発明の第３の実施形態の通信装置１０は、記憶手段１６、制御手段１７、および歪補償回路１４を含む。なお、記憶手段１６は、図１に示すメモリ１６０に相当する。制御手段１７は、図１に示す制御回路１７０に相当する。歪補償回路１４は、図１に示す受信歪補償回路１４０に相当する。
【００５２】
記憶手段１６には、信号に歪補償処理を施す歪補償回路１４に適用する係数が記憶されている。
【００５３】
制御手段１７は、受信信号の強度に応じて送信側に送信電力の制御を要求し、送信側の送信電力に応じて記憶手段１６から読み出して適用する係数を歪補償回路１４に指示する。
【００５４】
歪補償回路１４は、制御手段１７の指示に応じた係数を記憶手段１６から読み出し、読み出した係数を用いて受信信号に基づく信号に歪補償処理を施す。
【００５５】
本実施形態によれば、伝搬中等に生じた信号の非線形歪による影響を良好に抑制することができる。
【符号の説明】
【００５６】
１０、１００、１０２、１０３    通信装置
１４    歪補償回路
１６    記憶手段
１７    制御手段
１１０    受信ゲイン可変アンプ
１２０    Ａ−Ｄ変換器
１３０    受信波形整形フィルタ
１４０    受信歪補償回路
１４１    加算器
１４２    最小二乗誤差算出器
１４３    ボルテラフィルタ
１４４    変調器
１５０    復調器
１６０    メモリ
１７０、１７２    制御回路
２００    送信装置
２１０    変調器
２２０    送信波形整形フィルタ
２３０    送信歪補償回路
２４０    Ｄ−Ａ変換器
２５０    送信ゲイン可変アンプ
３００    受信システム
【図１】
2016134874.tif 000003
【図２】
2016134874.tif 000004
【図３】
2016134874.tif 000005
【図４】
2016134874.tif 000006
【図５】
2016134874.tif 000007
【図６】
2016134874.tif 000008
【図７】
2016134874.tif 000009
【図８】
2016134874.tif 000010
【図９】
2016134874.tif 000011
【図１０】
2016134874.tif 000012
【図１１】
2016134874.tif 000013
【図１２】
2016134874.tif 000014